(57)【特許請求の範囲】
【請求項１】
薬剤を溜めるＶ型断面形状の溝の底部が開閉し、前記溝内を移動自在に仕切る仕切板を設けたＶ桝と、このＶ桝の下方に前記溝に沿って並設された複数の小容器からなる分割容器とを備え、前記仕切板で定めた溝の範囲に溜めた薬剤を、前記底部を開いて前記分割容器に落として分割するＶ桝薬剤分割装置の集塵装置であって、
前記Ｖ桝の溝の一辺に薬剤粉塵吸込口を設け、この吸込口につながる空気経路を通じて吸引した空気を集塵フィルターを介して排出する吸引濾過手段を設け、前記仕切板の位置を検出するセンサーと、前記吸込口を開閉する可変栓塞手段と、前記吸引濾過手段による吸引力を調整する吸引力調整手段と、前記可変栓塞手段と吸引力調整手段を制御する制御装置を設け、
この制御装置によって、前記センサーの検出出力に基づいて前記仕切板の位置を判定し、前記可変栓塞手段を制御して前記吸込口を部分的に栓塞したり全開させて、前記溝の範囲でのみ前記吸込口を開放させるとともに、前記制御装置によって前記仕切板の位置に応じて前記吸引力調整手段を制御して吸引濾過手段による前記吸込口の吸引力を一定にすることを特徴とするＶ桝薬剤分割装置の集塵装置。
【発明の詳細な説明】
【０００１】
【産業上の利用分野】
この発明は、病院や薬局等に置かれ、粉末や顆粒等の散薬を分割して包装するＶ桝薬剤分割装置の集塵装置に関する。
【０００２】
【従来の技術】
この種のＶ桝薬剤分割装置としては、例えば図１２に示すようなものがある。この装置ではＶ桝１０１の内側に仕切板１０２を移動自在に設け、このＶ桝１０１の下方に分割容器（図示せず）を配置している。この分割容器は、複数の小容器をＶ桝１０１に沿って並設してなる。
【０００３】
この装置を使用するにはまず仕切板１０２によってＶ桝１０１の内側を仕切り、これにより散薬を溜めるＶ桝１０１の範囲を定める。そして、Ｖ桝１０１の該範囲に散薬を溜め、この散薬をならし棒で均してからＶ桝１０１の底部を開いてこの散薬を分割容器に落とし、これによりＶ桝１０１の該範囲の下方に存在する分割容器の各小容器のうちの少なくとも一部分にこの散薬を分割して配分する。この後、各小容器内の散薬をそれぞれの包装袋に落とし込んで封止する。
【０００４】
一方、散薬を落とすときには粉塵が発生する。この粉塵は、薬剤師の健康を害し、非常に悪い影響を及ぼす。このため、Ｖ桝薬剤分割装置には散薬の粉塵を吸引して収集する集塵装置１０３を付設するのが好ましい。
【０００５】
【発明が解決しようとする課題】
ところで、Ｖ桝薬剤分割装置は、安価であって、病院や薬局に導入し易い。これに対して集塵装置１０３の方は、大型で嵩張り、かつ高価であるために導入されないことが多かった。
【０００６】
また、この集塵装置１０３は、薬剤師に対面し、この薬剤師との間にＶ桝薬剤分割装置を挟むと言う状態で設置される。したがって、空気は、薬剤師の身体周囲からＶ桝１０１の上方を通じて集塵装置１０３へと流れる。この場合、空気の流れに対して薬剤師の身体が大きな抵抗となるので、薬剤師の身体の正面側、つまりＶ桝１０１の上方で渦状の乱気流が発生する。このため、Ｖ桝１０１の上方から集塵装置１０３へと空気が速やかに流れず、散薬の粉塵が吸引され難く、集塵装置１０３の性能が十分に発揮されなかった。
【０００７】
そこで、この発明の課題は、小型かつ安価で、Ｖ桝薬剤分割装置の使用に伴い発生する粉塵を効果的に集塵する集塵装置を提供することにある。
【０００８】
【課題を解決するための手段】
この発明は、上記課題を解決するために、薬剤を溜めるＶ型断面形状の溝の底部が開閉し、前記溝内を移動自在に仕切る仕切板を設けたＶ桝と、このＶ桝の下方に前記溝に沿って並設された複数の小容器からなる分割容器とを備え、前記仕切板で定めた溝の範囲に溜めた薬剤を、前記底部を開いて前記分割容器に落として分割するＶ桝薬剤分割装置の集塵装置であって、前記Ｖ桝の溝の一辺に薬剤粉塵吸込口を設け、この吸込口につながる空気経路を通じて吸引した空気を集塵フィルターを介して排出する吸引濾過手段を設け、前記仕切板の位置を検出するセンサーと、前記吸込口を開閉する可変栓塞手段と、前記吸引濾過手段による吸引力を調整する吸引力調整手段と、前記可変栓塞手段と吸引力調整手段を制御する制御装置を設け、この制御装置によって、前記センサーの検出出力に基づいて前記仕切板の位置を判定し、前記可変栓塞手段を制御して前記吸込口を部分的に栓塞したり全開させて、前記溝の範囲でのみ前記吸込口を開放させるとともに、前記制御装置によって前記仕切板の位置に応じて前記吸引力調整手段を制御して吸引濾過手段による前記吸込口の吸引力を一定にするＶ桝薬剤分割装置の集塵装置としたのである。
【０００９】
【作用】
上記構成の発明では、薬剤粉塵吸込口をＶ桝の一辺に設け、この吸込口から吸引濾過手段へと空気を吸引しているので、Ｖ桝の溝内に散薬を溜めてこの散薬を分割容器に落とし込む際に粉塵が発生しても、この粉塵がＶ桝の上方に立ち昇る以前にこの粉塵がＶ桝の溝の一辺の薬剤粉塵吸込口に吸い込まれ、この粉塵の飛散が防止される。
【００１０】
また、上記可変栓塞手段を設けているので、散薬を溜めるＶ桝の溝の範囲でのみこの薬剤粉塵吸込口を開口することができ、必要な範囲でのみ粉塵が吸引される。
【００１１】
また、上記吸引力調整手段を設けているので、薬剤を溜めるＶ桝の溝の範囲が拡大しても吸引濾過手段による吸引力が増大して、吸引力が一定に保持される。
【００１２】
【実施例】
以下、この発明の実施例を添付図面を参照して説明する。図１は、この発明の集塵装置の一実施例を適用したＶ桝薬剤分割装置を示す。このＶ桝薬剤分割装置は、散薬を一定量ずつ複数の包装袋に順次包装するものであり、Ｖ桝１、分割容器２、ホッパ３及び包装装置４等を備えている。また、このＶ桝薬剤分割装置に適用される集塵装置は、Ｖ桝１で発生した散薬の粉塵を吸引するものであり、薬剤粉塵吸込器５、送風器６及び吸引濾過装置７（図５に示す）等を備えている。
【００１３】
Ｖ桝薬剤分割装置において、Ｖ桝１は支持ブロック１１及び開閉板１２を有しており、図２に示すように、支持ブロック１１の両端に各側板１１ａを設け、また開閉板１２の両端に各板片１２ａを固定している。開閉板１２の各板片１２ａは、支持ブロック１１の各側板１１ａの外側で軸支され、この開閉板１２を回動自在に支持する。この開閉板１２の回動に伴いＶ桝１の底が開閉する。このＶ桝１には仕切板１４を設けている。
【００１４】
この仕切板１４の上部をＬ字形のローラ支持アーム１５に固定し、このローラ支持アーム１５に取り付けられた各溝付きローラ１３を支持ブロック１１の背面に固定された一対のレール１６に嵌め合わしている。これにより仕切板１４がＶ桝１の内側で移動可能に支持される。Ｌ字形のローラ支持アーム１５は、図３に示すように、その背面側で、タイミングベルト１７に連結されている。このタイミングベルト１７を２つの歯付きプーリ１８に架け渡し、これらの歯付きプーリ１８のうちの一方にクラッチ１９を介して仕切板用モータ２１を接続している。
【００１５】
この仕切板用モータ２１を回動させると、タイミングベルト１７と共にローラ支持アーム１５が移動し、仕切板１４がＶ桝１の内側で移動する。ここでは仕切板用モータ２１としてパルスモータを利用しており、このモータを適宜の回動角度だけ回動させることにより仕切板１４の位置を定めている。また、ローラ支持アーム１５の背面には一対のマグネット２２を固定している。これらのマグネット２２は、仕切板１４の移動方向に沿ってずらされている。
【００１６】
図２及び図４に示すように、分割容器２は、等間隔に並設された複数の小容器２３を有している。これらの小容器２３の底にはそれぞれの開閉蓋２４を設けている。また、図１に示すように、この分割容器２の背面に、ガイドフレーム２５を固定し、このガイドフレーム２５に各溝付きローラ２６を軸支するとともにラックギヤ２７を固定している。これらの溝付きローラ２６を図示しない壁面に固定された一対のレール２８に嵌め合わせ、これにより分割容器２を各レール２８に沿って移動自在に支持している。
【００１７】
また、ラックギヤ２７を分割容器用モータ２９の回動軸に固定されたギヤ３１に噛み合わせており、この分割容器用モータ２９の回動に伴い、分割容器２が各レール２８に沿ってＶ桝１の下方を移動する。また、ガイドフレーム２５には一対の磁気センサ３２をローラ支持アーム１５側に向けて縦に並設している。これらの磁気センサ３２は、ローラ支持アーム１５の各マグネット２２の高さにあり、これらのマグネット２２を検出する。
【００１８】
図２に示すように、分割容器２の各開閉蓋２４は、固定軸３４に嵌挿されたそれぞれの円筒リング３５に固定され、回動自在に支持されている。また、これらの開閉蓋２４は、それぞれのバネ３６によって持ち上げられてそれぞれの小容器２３の底を塞いでいる。図１に示すように、固定軸３４の近傍には三角板３７を配置している。この三角板３７を軸３８によって回動自在に支持し、この三角板３７に爪３９を固定するとともにアーム４１を連結している。
【００１９】
このアーム４１は、ローラ４２によって水平方向に移動可能に支持されており、このアーム４１の右端のカムフォロ４３を開閉蓋用モータ４４の回動軸に固定されたカム４５に当接している。この開閉蓋用モータ４４の回動に伴い、アーム４１は、カム４５によって左側に押されて移動し、三角板３７が時計回りに回転して、爪３９が１つの開閉蓋２４の左端を押し上げる。これにより、開閉蓋２４の右端がホッパ３の内側に下降し、１つの小容器２３が開かれる。
【００２０】
包装装置４は、軸支された一対のヒータローラ４６を有している。これらのヒータローラ４６の外周は、発熱しており、これらのヒータローラ４６間に２つ折りにされた包装用紙４７を挟み込んで、これらのヒータローラ４６を相互に逆の回転方向に回転させ、この包装用紙４７を搬送する。この包装用紙４７は、加熱溶着する接着剤を塗布したものであり、この包装用紙４７の搬送に伴い、各ヒータローラ４６によって周縁を封止された各包装袋４７ａが順次形成されていく。
【００２１】
一方、集塵装置においては、図１に示すように、薬剤粉塵吸込器５の各吸込口５ａをＶ桝１の一辺（図１の右側方）に沿って設けるとともに、送風器６の送風口６ａを各吸込口５ａに対向させてＶ桝１の周縁の他辺に沿って設けている。図５に示すように、薬剤粉塵吸込器５及び送風器６は、各空気経路５１，５２を通じて吸引濾過装置７に接続されている。吸引濾過装置７は、ファン５３及び集塵フィルタ５４を内蔵している。
【００２２】
このファン５３を電動機（図示せず）によって回転させると、薬剤粉塵吸込器５の各吸込口５ａ→空気経路５１及びバキュームバルブ５５→集塵フィルタ５４→ファン５３の経路で空気が流れ、薬剤粉塵吸込器５の各吸込口５ａには空気が吸い込まれる。また、空気は、ファン５３→空気経路５２→送風器６と言う経路でも流れ、この送風器６の送風口６ａから空気が排出される。
【００２３】
このため、空気は、送風器６の送風口６ａからＶ桝１の上方を介して薬剤粉塵吸込器５の各吸込口５ａへと流れ、このＶ桝１の上方での空気の流れが速やかなものとなる。また、空気経路５１は、枝分かれして分割容器クリーナ５６に接続されている。この分割容器クリーナ５６は、分割容器２の各小容器２３内を清掃するためのものであって、図４に示すように分割容器２の移動範囲の上方に配置され、下方に向く吸込口（図示せず）を有している。
【００２４】
空気は、この吸込口→空気経路５１→集塵フィルタ５４→ファン５３の経路で流れる。さらに、吸引濾過装置７には、フレキシブル管５７を通じてＶ桝クリーナ５８を接続している。このＶ桝クリーナ５８は、Ｖ桝１内を清掃するためのものであって、吸込口５８ａを有している。空気は、この吸込口５８ａ→フレキシブル管５７→集塵フィルタ５４→ファン５３の経路で流れる。
【００２５】
図６（ａ），（ｂ）に示すように、薬剤粉塵吸込器５は、各吸込口５ａに沿う２本のガイド溝６１を有している。これらのガイド溝６１にシャッタ板６２を嵌め入れ、このシャッタ板６２を移動自在に支持している。このシャッタ板６２の一端を仕切板１４に連結し、この仕切板１４の移動に伴い、このシャッタ板６２を移動させ、薬剤粉塵吸込器５の各吸込口５ａを部分的に栓塞したり、これらの吸込口５ａを全開させる。
【００２６】
また、薬剤粉塵吸込器５は、支点５ｂで軸支されており、一点鎖線で示すように起伏し、各吸込口５ａをＶ桝１の内側に向けたり、各吸込口５ａをＶ桝１の上方に向けることができる。この薬剤粉塵吸込器５の起伏によりバキュームバルブ５５では不可能な微調整を行うことができ、各吸込口５ａをやや下向きに向けると薬剤の粉塵を直ちに吸引するので、吸引効果が高くなり、また各吸込口５ａを上方に向ける程、吸引効果が低下する。
【００２７】
シャッタ板６２は、単板のものでも良いし、複数枚のものを組み合わせたものでもよい。複数枚のものを組み合わせる場合は、例えば図７に示すように、各シャッタ板６２の両端に係合片６２ａを設けてこれらのシャッタ板６２を途切れることなく伸長させたり、これらのシャッタ板６２を重ね合わせて縮小させるような構造にする。
【００２８】
バキュームバルブ５５は、空気経路５１に挿入されてこの空気経路５１の空気抵抗を調節する弁体５５ａを内蔵する。この弁体５５ａは、リンク（図示せず）を介して仕切板１４に連結されており、この仕切板１４が移動すると、この動作がリンクを介して弁体５５ａに伝わり、この弁体５５ａが開閉する。これにより、薬剤粉塵吸込器５の各吸込口５ａの開口面積に応じて、空気経路５１を流通する空気の量が調整され、薬剤粉塵吸込器５による吸引力が一定に保持される。
【００２９】
すなわち、シャッタ板６２が仕切板１４と共に移動して、薬剤粉塵吸込器５の各吸込口５ａの開口面積が広くなったときには、バキュームバルブ５５の弁体５５ａを開いて、空気経路５１の空気の流通量を増加し、またシャッタ板６２が仕切板１４と共に移動して、各吸込口５ａの開口面積が狭くなったときには、バキュームバルブ５５の弁体５５ａを閉じて、空気経路５１の空気の流通量を低減し、これによって薬剤粉塵吸込器５による吸引力を一定に保持する。
【００３０】
なお、薬剤粉塵吸込器５、分割容器クリーナ５６及びＶ桝クリーナ５８にそれぞれの弁を設け、これらを選択的に利用できるようにすれば、吸引濾過装置７の負担を軽減することができる。
【００３１】
このような構成において、散薬を分割してそれぞれの包装袋に包装するために、次の様な手順の動作及び作業を行う。まず、仕切板用モータ２１を作動してＶ桝１内の仕切板１４を移動させ、図４に示す仕切板１４と支持ブロック１１の右側の側板１１ａ間の距離を調節し、この間を散薬を溜めるＶ桝１内の範囲として定める。
【００３２】
この仕切板１４の移動に際し、シャッタ板６２は、先に述べたように仕切板１４に追従して移動し、散薬を溜めるＶ桝１内の範囲でのみ薬剤粉塵吸込器５の各吸込口５ａが開放される。また、薬剤粉塵吸込器５による吸引力が一定になるように、バキュームバルブ５５の弁体５５ａの開閉角度が調整される。ただし、このときには吸引濾過装置７を作動させておらず、薬剤粉塵吸込器５による吸引を行っていない。
【００３３】
一方、図４に示す分割容器２の左端が仕切板１４に追従する。すなわち、図８（ａ）に示すように、ガイドフレーム２５側の各磁気センサ３２がローラ支持アーム１５側の各マグネット２２間に挟まれた状態にあり、図８（ｂ）又は（ｃ）に示すように、この状態から仕切板１４が左方又は右方へ移動すると、この移動が各磁気センサ３２によって検出され、これらの磁気センサ３２の検出出力に応答して分割容器用モータ２９が作動し、分割容器２が左方又は右方へ移動する。
【００３４】
これにより分割容器２の左端が仕切板１４の位置に一致し、仕切板１４と支持ブロック１１の右側の側板１１ａ間（散薬を溜めるＶ桝１内の範囲）の下方に散薬の分配数と同数の各小容器２３が並ぶ。この後、所定量の散薬を該散薬を溜めるＶ桝１内の範囲に投入する。このとき、Ｖ桝１の周辺に散薬の粉塵が発生するので、吸引濾過装置７を作動させて、薬剤粉塵吸込器５による吸引を開始する。
【００３５】
これにより、散薬を溜めるＶ桝１内の範囲で開放され、Ｖ桝１の一辺に沿って設けられた各吸込口５ａへと散薬の粉塵が吸引される。この散薬の粉塵は、空気経路５１を通じて吸引濾過装置７に至り、この吸引濾過装置７内の集塵フィルタ５４によって収拾される。また、この集塵フィルタ５４を通過した空気は、空気経路５２を通じて送風器６の送風口６ａから排出され、Ｖ桝１の上方での空気の流れを整流する。
【００３６】
なお、散薬をＶ桝１内に投入してから吸引濾過装置７を作動させるのは、散薬の投入のときに薬剤粉塵吸込器５による吸引を行うと、散薬の一部分が落下の途中で薬剤粉塵吸込器５に吸い込まれてしまい、散薬の量が目減りするためである。
【００３７】
こうして散薬を投入してからＶ桝１内の散薬をならし棒（図示せず）によって均す。この後、Ｖ桝１の開閉板１２を開いてこのＶ桝１から散薬を落下させると、この散薬は、この散薬を溜めるＶ桝１内の範囲の下方に並ぶ各小容器２３に分割して配分される。このときにもＶ桝１の周辺に散薬の粉塵が発生し、この粉塵は、薬剤粉塵吸込器５に吸い込まれ、集塵フィルタ５４によって収拾される。
【００３８】
次に、開閉蓋用モータ４４を一回転して三角板３７を回転させ、ホッパ３の真上に位置する一番目の小容器２３の開閉蓋２４を開いてこの小容器２３内の散薬を落下させる。この散薬は、ホッパ３に落下し、このホッパ３を通じて各ヒータローラ４６間で２つ折りにされた包装用紙４７の内側に導かれ、これらのヒータローラ４６の回転に伴い１つの包装袋４７ａ内に封止される。
【００３９】
引き続いて分割容器用モータ２９を回動して、分割容器２を右側に移動させ、２番目の小容器２３をホッパ３の真上に移動する。そして、この小容器２３の開閉蓋２４を開いて散薬をホッパ３を通じて包装用紙４７の内側に導き入れ、この散薬を１つの包装袋４７ａに密封する。
【００４０】
このときには１番目の小容器２３が分割容器クリーナ５６の真下に移動し、この１番目の小容器２３内の粉塵が分割容器クリーナ５６の下方を向く吸込口に吸い込まれ、この粉塵は、空気経路５１を通じて吸引濾過装置７に至り、集塵フィルタ５４によって収拾される。以降同様に、各小容器２３をホッパ３の真上に順次移動し、これらの小容器２３の開閉蓋２４を逐一開いて、これらの小容器２３内の散薬をそれぞれの包装袋４７ａに逐一封止する。
【００４１】
また、各小容器２３を分割容器クリーナ５６の真下に順次移動し、これらの小容器２３内の粉塵を分割容器クリーナ５６によって順次吸い込んでこれらの小容器２３を清掃する。こうして各小容器２３内の散薬の包装を終了すれば、Ｖ桝クリーナ５８によってＶ桝１内の粉塵を吸い取ってこのＶ桝１内を清掃する。そして、吸引濾過装置７を一旦停止してから次の散薬を包装するための動作及び作業を行う。
【００４２】
図９は、この発明の集塵装置の他の実施例を適用したＶ桝薬剤分割装置を概略的に示している。ここでは、Ｖ桝１の仕切板１４に比検出体７１を取り付け、この比検出体７１の位置をリニアセンサ７２によって検出し、このリニアセンサ７２の検出出力を制御装置７３に入力している。
【００４３】
また、シャッタ板６２にベルト７４を接続し、このベルト７４を各ガイドローラ７５及び駆動ローラ７６に架け渡し、駆動ローラ７６をパルスモータ７７によって回動させてベルト７４を搬送することによりシャッター６２を開閉させている。さらに、バキュームバルブ５５の弁体５５ａの開閉もパルスモータ（図示せず）によって行っている。
【００４４】
制御装置７３は、リニアセンサ７２の検出出力に基づいてＶ桝１の仕切板１４の位置を判定し、この仕切板１４の位置に応じてパルスモータ７７を適宜の回動角度だけ回動させてシャッタ板６２を開閉させ、散薬を溜めるＶ桝１内の範囲でのみ薬剤吸込器５の各吸込口５ａを開放させる。また、制御装置７３は、仕切板１４の位置に応じてバキュームバルブ５５のパルスモータを適宜の回動角度だけ回動させて弁体５５ａを開閉させ、薬剤粉塵吸込器５による吸引力を一定にさせる。
【００４５】
図１０及び図１１は、薬剤粉塵吸込器の変形例を示している。図１０に示す薬剤粉塵吸込器８１は、複数の吸込口８２を有しており、空気経路５１から遠くなる程、これらの吸込口８２の径を大きくしている。これは、空気経路５１からの距離にかかわらず、各吸込口８２の吸引力を一定にするためである。図１１に示す薬剤粉塵吸込器８３は、長形の吸込口８４を有しており、先と同様の理由で、空気経路５１から遠くなる程、この吸込口８４の幅を広くしている。
【００４６】
【効果】
以上説明したように、この発明によれば、薬剤粉塵吸込口をＶ桝の一辺に設け、この吸込口から吸引濾過手段へと空気を吸引するので、Ｖ桝の溝内に散薬を溜めてこの散薬を分割容器に落とし込む際に粉塵が発生しても、この粉塵がＶ桝の上方に立ち昇る以前にＶ桝の溝の一辺の薬剤粉塵吸込口に吸い込まれてこの粉塵の飛散が防止される。また、上記可変栓塞手段や吸引力調整手段を設けているので、散薬を溜めるＶ桝の溝の範囲でのみこの薬剤粉塵吸込口を開口することができ、しかも薬剤を溜めるＶ桝の溝の範囲の拡大しても吸引力を調整して一定に保持することができる。
【図面の簡単な説明】
【図１】この発明の集塵装置の一実施例を適用したＶ桝薬剤分割装置を示す側面図
【図２】図１におけるＶ桝、分割容器及びホッパを示す図
【図３】図１におけるＶ桝内の仕切板の移動機構を示す斜視図
【図４】図１におけるＶ桝、分割容器及びホッパを示す図
【図５】図１の集塵装置の機構を概略的に示す図
【図６】図６（ａ）及び（ｂ）は図１における薬剤粉塵吸込器を示す正面図及び断面図
【図７】図１における薬剤粉塵吸込器のシャッタ板を例示する図
【図８】図１におけるマグネットと磁気センサの位置関係を示す図
【図９】この発明の集塵装置の他の実施例を適用したＶ桝薬剤分割装置を概略的に示す図
【図１０】薬剤吸込器の一変形例を示す正面図
【図１１】薬剤吸込器の他の変形例を示す正面図
【図１２】従来の集塵装置を適用したＶ桝薬剤分割装置を示す斜視図
【符号の説明】
１  Ｖ桝
２  分割容器
３  ホッパ
４  包装装置
５  薬剤粉塵吸込器
６  送風機
７  吸引濾過装置
１１  支持ブロック
１２  開閉板
１４  仕切板
１５  ローラ支持アーム
２３  小容器
２４  開閉蓋
３９  爪
４６  ヒータローラ
４７  包装用紙
５１，５２  空気経路
５３  ファン
５４  集塵フィルタ
５５  バキュームバルブ
５６  分割容器クリーナ
５８  Ｖ桝クリーナ
６２  シャッタ板
８１，８３  薬剤粉塵吸込器
【図１】
0003668308.tif 000002
【図２】
0003668308.tif 000003
【図３】
0003668308.tif 000004
【図４】
0003668308.tif 000005
【図５】
0003668308.tif 000006
【図６】
0003668308.tif 000007
【図７】
0003668308.tif 000008
【図８】
0003668308.tif 000009
【図９】
0003668308.tif 000010
【図１０】
0003668308.tif 000011
【図１１】
0003668308.tif 000012
【図１２】
0003668308.tif 000013